(57)【要約】【課題】  携帯式情報端末を用いて多人数で楽しめる高音質のカラオケ演奏を実現するカラオケシステムを提供する。【解決手段】  所定のカラオケ情報に基づいてカラオケ演奏曲を出力させるカラオケ演奏手段６４と、そのカラオケ演奏手段６４により出力されるカラオケ演奏曲をストリーミング送信する送信手段６６とを、含む主演奏用携帯式情報端末である携帯電話機１２ａと、前記送信手段６６によりストリーミング送信されるカラオケ演奏曲を受信する受信手段６８と、その受信手段６８により受信されるカラオケ演奏曲をストリーミング再生するストリーミング再生手段７０とを、含む従属演奏用携帯式情報端末である携帯電話機１２ｂとを、有するものであるため、各携帯電話機１２に備えられた音源の相違に係わらず、それら複数の携帯電話機１２により同じ音質のカラオケ演奏を行うことができる。【選択図】  図４
2006106286.tif 000002
【特許請求の範囲】
【請求項１】
多数のカラオケ演奏曲のうちから選択される所定のカラオケ演奏曲を出力させるカラオケ機能を有する携帯式情報端末を用いたカラオケシステムであって、
所定のカラオケ情報に基づいてカラオケ演奏曲を出力させるカラオケ演奏手段と、該カラオケ演奏手段により出力されるカラオケ演奏曲をストリーミング送信する送信手段と
を、含む主演奏用携帯式情報端末と、
前記送信手段によりストリーミング送信されるカラオケ演奏曲を受信する受信手段と、該受信手段により受信されるカラオケ演奏曲をストリーミング再生するストリーミング再生手段と
を、含む従属演奏用携帯式情報端末と
を、有することを特徴とするカラオケシステム。
【請求項２】
前記カラオケ情報は、演奏情報としてＭＩＤＩデータを含むものであり、前記カラオケ演奏手段は、該ＭＩＤＩデータに基づいてカラオケ演奏曲の演奏音を出力させるものである請求項１のカラオケシステム。
【発明の詳細な説明】
【技術分野】
【０００１】
本発明は、多数のカラオケ演奏曲のうちから選択される所定のカラオケ演奏曲を出力させるカラオケ機能を有する携帯式情報端末を用いたカラオケシステムの改良に関する。
【背景技術】
【０００２】
多数のカラオケ演奏曲のうちから選択される所定のカラオケ演奏曲を出力させるカラオケ機能を有する携帯式情報端末が知られている。例えば、フラッシュＲＯＭ等に記憶されたＭＩＤＩ（Musical Instrument Digital Interface）データに基づいてカラオケ演奏曲の出力を行う携帯電話機がそれである。斯かるカラオケ機能付携帯式情報端末によれば、多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
ところで、複数の携帯式情報端末を用いてカラオケ演奏を行うための技術が提案されている。例えば、特許文献１に記載されたカラオケシステムがそれである。この技術によれば、第１の携帯式情報端末（マスター）から第２の携帯式情報端末（スレーブ）に所定の演奏情報及びその演奏情報を再生するタイミングを指定するタイミング情報を無線通信により配信した後、各携帯式情報端末がその演奏情報を前記タイミング情報に基づいて再生するものであるため、複数の携帯式情報端末により同期的にカラオケ演奏曲が出力され、多人数でカラオケ演奏を楽しむことができる。
【０００４】
【特許文献１】特開２００３−３２３１８６号公報
【０００５】
しかし、前記従来の技術では、マスターである携帯式情報端末からスレーブである携帯式情報端末へＭＩＤＩデータ等の演奏情報を配信した後、各携帯式情報端末によりその演奏情報に基づいてカラオケ演奏を行うものであったことから、機種毎にＭＩＤＩ音源等の音源が異なる場合には所望される演奏音が出力されない可能性があった。すなわち、携帯式情報端末を用いて多人数で楽しめる高音質のカラオケ演奏を実現するカラオケシステムは、未だ開発されていないのが現状である。
【発明の開示】
【発明が解決しようとする課題】
【０００６】
本発明は、以上の事情を背景として為されたものであり、その目的とするところは、携帯式情報端末を用いて多人数で楽しめる高音質のカラオケ演奏を実現するカラオケシステムを提供することにある。
【課題を解決するための手段】
【０００７】
斯かる目的を達成するために、本発明の要旨とするところは、多数のカラオケ演奏曲のうちから選択される所定のカラオケ演奏曲を出力させるカラオケ機能を有する携帯式情報端末を用いたカラオケシステムであって、所定のカラオケ情報に基づいてカラオケ演奏曲を出力させるカラオケ演奏手段と、そのカラオケ演奏手段により出力されるカラオケ演奏曲をストリーミング送信する送信手段とを、含む主演奏用携帯式情報端末と、前記送信手段によりストリーミング送信されるカラオケ演奏曲を受信する受信手段と、その受信手段により受信されるカラオケ演奏曲をストリーミング再生するストリーミング再生手段とを、含む従属演奏用携帯式情報端末とから成ることを特徴とするものである。
【発明の効果】
【０００８】
このようにすれば、所定のカラオケ情報に基づいてカラオケ演奏曲を出力させるカラオケ演奏手段と、そのカラオケ演奏手段により出力されるカラオケ演奏曲をストリーミング送信する送信手段とを、含む主演奏用携帯式情報端末と、前記送信手段によりストリーミング送信されるカラオケ演奏曲を受信する受信手段と、その受信手段により受信されるカラオケ演奏曲をストリーミング再生するストリーミング再生手段とを、含む従属演奏用携帯式情報端末とを、有するものであるため、各携帯式情報端末に備えられた音源の相違に係わらず、それら複数の携帯式情報端末により同じ音質のカラオケ演奏を行うことができる。すなわち、携帯式情報端末を用いて多人数で楽しめる高音質のカラオケ演奏を実現するカラオケシステムを提供することができる。
【０００９】
ここで、好適には、前記カラオケ情報は、演奏情報としてＭＩＤＩデータを含むものであり、前記カラオケ演奏手段は、そのＭＩＤＩデータに基づいてカラオケ演奏曲の演奏音を出力させるものである。このようにすれば、音源の相違により音質の変化が生じ易いＭＩＤＩデータに基づいてカラオケ演奏を行うカラオケシステムにおいて、複数の携帯式情報端末により同じ音質のカラオケ演奏を行うことができるという利点がある。
【実施例】
【００１０】
以下、本発明の好適な実施例を図面に基づいて詳細に説明する。
【００１１】
図１は、本発明の一実施例であるカラオケシステム１０について説明する図である。このカラオケシステム１０は、多数のカラオケ演奏曲のうちから選択される所定のカラオケ演奏曲を出力させるカラオケ機能を有する携帯電話機１２ａ、１２ｂを用いて複数人数によるカラオケ演奏を実現するものであり、上記携帯電話機１２ａは主演奏用携帯式情報端末（マスター）として、携帯電話機１２ｂは従属演奏用携帯式情報端末（スレーブ）として機能するものである。以下、特に区別しない場合には、主演奏用携帯式情報端末及び従属演奏用携帯式情報端末を何れも単に携帯電話機１２として説明する。
【００１２】
図１に示すように、本実施例のカラオケシステム１０では、携帯式情報端末である複数の携帯電話機１２が各地に設けられた複数の中継基地局１４を介して公衆電話回線等による通信回線１６に接続されている。また、カラオケサービス提供会社のセンタ装置であるカラオケサーバ１８がその通信回線１６に接続されている。このカラオケサーバ１８は、カラオケ情報をはじめとするデジタルコンテンツ（Digital Content）の保管や入出力管理等を行うサーバであり、上記通信回線１６を介して複数の携帯電話機１２との間で情報の送受信が可能とされている。ここで、主演奏用携帯式情報端末である携帯電話機１２ａは、上記通信回線１６を介してカラオケサーバ１８からカラオケ情報等のコンテンツ配信を受けられるようになっている。このカラオケ情報は、カラオケ演奏曲それぞれのタイトル情報、演奏情報、及び歌詞情報等から成り選曲番号により識別されるものである。また、従属演奏用携帯式情報端末である携帯電話機１２ｂは、少なくとも主演奏用携帯式情報端末である携帯電話機１２ａとの間で無線にて情報の送受信ができるようになっている。この無線による情報の送受信は、例えば、後述するブルートゥースモジュール６０により短距離無線通信を介して行われる。
【００１３】
図２は、前記携帯電話機１２の操作部２０を説明する図である。この図２に示すように、前記携帯電話機１２における折り畳まれることで相対向する１対の面には、入力ボタン（スイッチ）として機能する１２個の文字入力ボタン２２、開始ボタン２４、電源ボタン２６、左右上下の移動ボタン２８、メールボタン３０、クリアボタン３２、決定ボタン３４、及び映像表示装置として機能する表示部３６が設けられている。
【００１４】
上記文字入力ボタン２２は、所望する文字を入力するためのボタン（スイッチ）であり、その文字入力ボタン２２が押されることにより、また必要に応じて所定の文字変換操作が行われることにより、所望する文字が上記表示部３６に表示される。上記開始ボタン２４は、電話をかけたりメールを送信したりするためのボタンであり、上記表示部３６に所定の電話番号が表示されている際にその開始ボタン２４が押されることにより、その電話番号に電話をかけられる。また、その表示部３６に所定のメールアドレスが表示されている際にその開始ボタン２４が押されることにより、そのメールアドレスにメールが送信される。上記電源ボタン２６は、通話を中止したり電源を入れたりするためのボタンであり、通話中にその電源ボタン２６が押されることにより、その通話が中止される。また、電源がオフである際にその電源ボタン２６が一定時間押されることにより、電源がオンの状態となる一方、電源がオンである際にその電源ボタン２６が一定時間押されることにより、電源がオフの状態となる。上記移動ボタン２８は、上記表示部３６に表示されるカーソルを左右上下に移動させるため等に押されるボタンである。上記メールボタン３０は、メール管理モードに入るため等に押されるボタンである。上記クリアボタン３２は、上記表示部３６に表示された文字を消すため等に押されるボタンである。上記決定ボタン３４は、上記表示部３６に表示された内容で各種設定の項目を決定したり、文字変換を決定したりするため等に押されるボタンである。
【００１５】
図３は、前記携帯電話機１２の構成を説明するブロック線図である。この図３に示す制御部３８は、予めＲＯＭ４０に記憶されたプログラムに従って入力信号を処理し、前記操作部２０からの入力に従って文字入力が実行されるように制御したり、前記操作部２０から入力された電話番号に従って通信或いは通話チャンネルを成立させると共に相互の通信或いは通話が可能となるように制御したり、メールの作成及び送受信の制御を実行したりする。通話状態においては、アンテナ４２ａを介して送受信部４４に受けた通話信号等がモデム部４６を介して音声コーディック部４８においてデジタルコード信号から音声信号に変換され、アナログフロントエンド５０により音声出力器（スピーカ）５２が駆動されて音声が出力される。同時に、マイクロフォン５４により音声から変換された音声信号が上記アナログフロントエンド５０を介して上記音声コーディック部４８に送られてそこでデジタル信号に変換され、上記モデム部４６、送受信部４４、及びアンテナ４２ａを介して送信される。また、通信状態において、上記制御部３８は、前記操作部２０から入力された信号を通信先へ送信すると同時に、通信先から受信された信号を前記表示部３６に表示させる。また、他の通信端末からの着信があったと判定される場合には、予め記憶部（フラッシュＲＯＭ）５６に記憶された呼出音情報に基づいて所定の呼出音を上記スピーカ５２から出力させるようにメロディー発生器５８を駆動させる。また、前記携帯電話機１２には、ブルートゥース信号を送受信するためのブルートゥースモジュール６０及びそのアンテナ４２ｂとが設けられている。また、主演奏用携帯式情報端末である携帯電話機１２ａの記憶部５６には、前記カラオケサーバ１８からダウンロードされたカラオケ情報を記憶するためのカラオケデータベース６２が設けられている。
【００１６】
図４は、前記携帯電話機１２の制御部３８に備えられた制御機能の要部を説明する機能ブロック線図であり、主演奏用携帯式情報端末である携帯電話機１２ａを一点鎖線で、従属演奏用携帯式情報端末である携帯電話機１２ｂを二点鎖線でそれぞれ示している。すなわち、カラオケ演奏手段６４及び送信手段６６は、主演奏用携帯式情報端末である携帯電話機１２ａに機能的に含まれるものであり、受信手段６８及びストリーミング再生手段７０は、従属演奏用携帯式情報端末である携帯電話機１２ｂに機能的に含まれるものである。
【００１７】
カラオケ演奏手段６４は、前記カラオケデータベース６２に記憶されたカラオケ情報に基づいてカラオケ演奏を実行する。具体的には、前記操作部２０を介して選択入力された所定の選曲番号に対応するカラオケ演奏曲のカラオケ情報を前記カラオケデータベース６２から読み出し、そのカラオケ情報に含まれる演奏情報に基づいて前記メロディ発生器５８により所定の演奏音を発生させて前記スピーカ５２から出力させると共に、その出力と同期して、前記カラオケ情報に含まれる歌詞情報に基づいて所定の歌詞文字映像（歌詞テロップ）を生成し、前記表示部３６に表示させる。また、その表示部３６に所定の背景映像を表示させる。ここで、前記カラオケ情報は、好適には、演奏情報としてＭＩＤＩ（Musical Instrument Digital Interface）データを含むものであり、前記メロディ発生器５８は、そのＭＩＤＩデータに基づいてカラオケ演奏曲を出力させるＭＩＤＩ音源である。
【００１８】
送信手段６６は、前記カラオケ演奏手段６４により出力されるカラオケ演奏曲を従属演奏用携帯式情報端末である携帯電話機１２ｂへストリーミング送信する。すなわち、前記カラオケ情報に含まれる演奏情報に基づいて前記メロディ発生器５８により発生させられる演奏音、歌詞情報に基づいて生成された歌詞文字映像、及び背景映像等からなるカラオケ演奏曲そのものの情報を出力と略同時に送信する。この送信は、好適には、前記ブルートゥースモジュール６０を介した短距離無線通信等により行われる。
【００１９】
受信手段６８は、前記送信手段６６によりストリーミング送信されるカラオケ演奏曲を受信する。この受信は、好適には、前記ブルートゥースモジュール６０を介した赤外線通信等により行われる。
【００２０】
ストリーミング再生手段７０は、前記受信手段６８により受信されるカラオケ演奏曲をストリーミング再生する。すなわち、前記受信手段６８により受信された演奏音を受信と略同時に前記スピーカ５２から出力させると共に、前記受信手段６８により受信された歌詞文字映像及び背景映像を受信と略同時に前記表示部３６に表示させる。これにより、主演奏用携帯式情報端末である携帯電話機１２ａにおいて前記カラオケ演奏手段６４によりカラオケ演奏曲が出力されるのと同期して、複数の従属演奏用携帯式情報端末である携帯電話機１２ｂにおいて前記ストリーミング再生手段７０により音質等が等価であるカラオケ演奏曲が出力される。
【００２１】
図５は、主演奏用携帯式情報端末である携帯電話機１２ａの制御部３８によるカラオケ演奏／送信制御を説明するフローチャートであり、所定の周期で繰り返し実行されるものである。
【００２２】
先ず、前記カラオケ演奏手段６４の動作に対応するステップ（以下、ステップを省略する）ＳＡ１において、前記カラオケデータベース６２に記憶されたカラオケ情報に基づいてカラオケ演奏が実行され、前記スピーカ５２及び表示部３６を介して出力される。次に、前記送信手段６６の動作に対応するＳＡ２において、ＳＡ１にて出力されたカラオケ演奏曲が前記ブルートゥースモジュール６０を介して複数の従属演奏用携帯式情報端末である携帯電話機１２ｂへストリーミング送信される。次に、ＳＡ３において、所定の通信端末からの電話着信があったか否かが判断される。このＳＡ３の判断が肯定される場合には、ＳＡ４において、カラオケ演奏及びストリーミング送信が中止されて通話処理が開始された後、本ルーチンが終了させられるが、ＳＡ３の判断が否定される場合には、ＳＡ５において、カラオケ演奏終了であるか否かが判断される。このＳＡ５の判断が否定される場合には、ＳＡ１以下の処理が再び実行されるが、ＳＡ５の判断が肯定される場合には、それをもって本ルーチンが終了させられる。
【００２３】
図６は、従属演奏用携帯式情報端末である携帯電話機１２ｂの制御部３８による受信／ストリーミング再生制御を説明するフローチャートであり、所定の周期で繰り返し実行されるものである。
【００２４】
先ず、前記受信手段６８の動作に対応するＳＢ１において、主演奏用携帯式情報端末である携帯電話機１２ａからストリーミング送信されるカラオケ演奏曲を前記ブルートゥースモジュール６０を介して受信する。次に、前記ストリーミング再生手段７０の動作に対応するＳＢ２において、ＳＢ１にて受信されたカラオケ演奏曲が前記スピーカ５２及び表示部３６を介してストリーミング再生される。次に、ＳＢ３において、所定の通信端末からの電話着信があったか否かが判断される。このＳＢ３の判断が肯定される場合には、ＳＢ４において、受信及びストリーミング再生が中止されて通話処理が開始された後、本ルーチンが終了させられるが、ＳＢ３の判断が否定される場合には、ＳＢ５において、カラオケ演奏終了であるか否かが判断される。このＳＢ５の判断が否定される場合には、ＳＢ１以下の処理が再び実行されるが、ＳＢ５の判断が肯定される場合には、それをもって本ルーチンが終了させられる。
【００２５】
このように、本実施例によれば、所定のカラオケ情報に基づいてカラオケ演奏曲を出力させるカラオケ演奏手段６４（ＳＡ１）と、そのカラオケ演奏手段６４により出力されるカラオケ演奏曲をストリーミング送信する送信手段６６（ＳＡ２）とを、含む主演奏用携帯式情報端末である携帯電話機１２ａと、前記送信手段６６によりストリーミング送信されるカラオケ演奏曲を受信する受信手段６８（ＳＢ１）と、その受信手段６８により受信されるカラオケ演奏曲をストリーミング再生するストリーミング再生手段７０（ＳＢ２）とを、含む従属演奏用携帯式情報端末である携帯電話機１２ｂとを、有するものであるため、各携帯電話機１２に備えられた音源の相違に係わらず、それら複数の携帯電話機１２により同じ音質のカラオケ演奏を行うことができる。すなわち、携帯電話機１２を用いて多人数で楽しめる高音質のカラオケ演奏を実現するカラオケシステム１０を提供することができる。
【００２６】
また、前記カラオケ情報は、演奏情報としてＭＩＤＩデータを含むものであり、前記カラオケ演奏手段６４は、そのＭＩＤＩデータに基づいてカラオケ演奏曲の演奏音を出力させるものであるため、音源の相違により音質の変化が生じ易いＭＩＤＩデータに基づいてカラオケ演奏を行うカラオケシステム１０において、複数の携帯電話機１２により同じ音質のカラオケ演奏を行うことができるという利点がある。
【００２７】
以上、本発明の好適な実施例を図面に基づいて詳細に説明したが、本発明はこれに限定されるものではなく、更に別の態様においても実施される。
【００２８】
例えば、前述の実施例において、主演奏用携帯式情報端末である携帯電話機１２ａと従属演奏用携帯式情報端末である携帯電話機１２ｂとはそれぞれ別個の携帯電話機１２であったが、例えば、前記カラオケシステム１０に含まれる全ての携帯電話機１２が主演奏用携帯式情報端末及び従属演奏用携帯式情報端末の何れとしても機能する態様も考えられる。すなわち、主演奏用のアプリと従属演奏用のアプリとがそれぞれ個別に用意されてもよいし、主演奏／従属演奏兼用のアプリのみ用意されてもよい。
【００２９】
その他、一々例示はしないが、本発明はその趣旨を逸脱しない範囲内において種々の変更が加えられて実施されるものである。
【図面の簡単な説明】
【００３０】
【図１】本発明の一実施例であるカラオケシステムについて説明する図である。
【図２】図１のカラオケシステムに含まれる携帯電話機の操作部を説明する図である。
【図３】図２の携帯電話機の構成を説明するブロック線図である。
【図４】図２の携帯電話機の制御部に備えられた制御機能の要部を説明する機能ブロック線図である。
【図５】図４に一点鎖線で示す主演奏用携帯式情報端末である携帯電話機の制御部によるカラオケ演奏／送信制御を説明するフローチャートである。
【図６】図４に二点鎖線で示す従属演奏用携帯式情報端末である携帯電話機の制御部による受信／ストリーミング再生制御を説明するフローチャートである。
【符号の説明】
【００３１】
１０：カラオケシステム
１２：携帯電話機（携帯式情報端末）
１２ａ：主演奏用携帯式情報端末である携帯電話機
１２ｂ：従属演奏用携帯式情報端末である携帯電話機
６４：カラオケ演奏手段
６６：送信手段
６８：受信手段
７０：ストリーミング再生手段
【図１】
2006106286.tif 000003
【図２】
2006106286.tif 000004
【図３】
2006106286.tif 000005
【図４】
2006106286.tif 000006
【図５】
2006106286.tif 000007
【図６】
2006106286.tif 000008